(57)【要約】【課題】本発明は、将来の取得ポイントが考慮されたカードポイントシミュレーションシステムを提供する。【解決手段】カードポイントシミュレーションシステムは、世帯の家族構成を入力する家族情報入力部（Ｓ１０１）と、カードについて、ポイント有効期限及びポイントレートを入力するカード情報入力部（Ｓ１０２）と、世帯の収入を入力する収入入力部（Ｓ１０３）と、世帯の支出を所定の項目ごとに入力する支出入力部（Ｓ１０４）と、支出の項目に対してカード毎に使用の有無を選択し、カード毎に項目に対してカードの使用比率を入力してカードのポイントを算出するポイント算出部（Ｓ１０５）と、ポイント算出部の後に、算出されたポイントの量の時間推移をグラフ化するポイントグラフ化部と、を備える。また、ポイントの量の時間推移は、項目ごとの支出の時間推移に連動して変動する。【選択図】  図２
2018032280.tif 000002
【特許請求の範囲】
【請求項１】
コンピュータを用いてカード使用時に付されるポイントを算出するカードポイントシミュレーションシステムであって、
世帯の家族構成を入力する家族情報入力部と、
前記カードについて、ポイント有効期限及びポイントレートを入力するカード情報入力部と、
前記世帯の収入を入力する収入入力部と、
前記世帯の支出を所定の項目ごとに入力する支出入力部と、
前記支出の前記項目に対して前記カード毎に使用の有無を選択し、前記カード毎に前記項目に対して前記カードの使用比率を入力して前記カードの前記ポイントを算出するポイント算出部と、
前記ポイント算出部の後に、算出された前記ポイントの量の時間推移をグラフ化するポイントグラフ化部と、を備え、
前記ポイントの量の時間推移は、前記項目ごとの前記支出の時間推移に連動して変動するカードポイントシミュレーションシステム。
【請求項２】
前記カード情報入力部では、複数のカードのポイント有効期限及びポイントレートが入力され、
前記ポイント算出部又は前記ポイントグラフ化部において、前記複数のカードのポイントの量が比較される請求項１に記載のカードポイントシミュレーションシステム。
【請求項３】
前記カード情報入力部では、前記カードの種別が入力され、
前記カードの種別は、交通系クレジットカード、航空系クレジットカード、銀行系クレジットカード、石油系クレジットカード、自動車メーカー系クレジットカード、流通系クレジットカード、信販系クレジットカード、消費者金融系クレジットカード、又は独立系クレジットカードを含む請求項１又は請求項２に記載のカードポイントシミュレーションシステム。
【請求項４】
前記家族情報入力部では、前記家族の年齢が入力され、
前記ポイントの量の時間推移は、前記家族構成入力部に基づいて算出されるライフイベント及び前記収入の時間推移に基づいて算出された前記支出の時間推移に基づいて算出される請求項１から請求項３のいずれか一項に記載のカードポイントシミュレーションシステム。
【請求項５】
前記カード情報入力部は、複数の項目の中から趣味及び関心事項が選択され、複数のカードの情報から、選択された前記趣味及び関心事項に基づいて特定の前記カードが抽出され、抽出された前記カードの中からさらに一部又は全部のカードが選択されることにより前記ポイント有効期限及び前記ポイントレートが入力される請求項１から請求項４のいずれか一項に記載のカードポイントシミュレーションシステム。
【請求項６】
さらに、前記ポイント算出部より前に前記ポイントの目標値を入力する目標値入力部を有し、
前記ポイント算出部又は前記ポイントグラフ化部では、前記ポイントの量が前記目標値に最短で達する前記カードの組み合わせを導く請求項１から請求項５のいずれか一項に記載のカードポイントシミュレーションシステム。
【発明の詳細な説明】
【技術分野】
【０００１】
本発明は、クレジットカードの使用により付与されるポイントを予測し、クレジットカードの使用方法及び選択方法を提供するカードポイントシミュレーションシステムに関する。
【背景技術】
【０００２】
クレジットカードは商品の購入及び公共料金の支払い等に用いられる。また、クレジットカードは、高額商品の購入の際に高額の現金を持ち歩く必要がなく、インターネットでの商品の購入の際の決済も容易である等の利点もあり、世帯内のその使用比率は大きくなってきている。しかし、クレジットカードには多くの種類があり、そのサービスも多様であるため、どのクレジットカードを選択し、どのように使用するべきかの判断が困難である。そのため、クレジットカードの使用が躊躇され、又は使用しない多数のクレジットカード会社と契約してしまう場合がある。
【０００３】
クレジットカードのサービスの中の大きなものの１つとしてクレジットカードの使用の際にポイントを付与するサービスがある。付与されたポイントはキャッシュバックされ、又は商品及びマイレージ等と交換することができる。例えば特許文献１では、このポイント取得等が考慮された最有利クレジットカード選択プログラム及びその方法が示されている。
【先行技術文献】
【特許文献】
【０００４】
【特許文献１】特開２０１０−１４０３７８号公報
【発明の概要】
【発明が解決しようとする課題】
【０００５】
しかし、特許文献１では、現時点での条件のみを考慮してクレジットカードの有利な選択を示しており、将来の変化が考慮されていない。クレジットカードでは、ポイントに有効期限がある場合、所定の金額を使用した場合に翌年のポイントレートが変動する場合など、時間変化及び使用状態に対してサービスの内容が変化する場合あり、これらの要素が考慮されない場合にはクレジットカードの選択が最適とは言えない場合もある。また、時間変化が考慮されない場合には、毎年クレジットカードの選択を見直し、場合によっては新たなクレジットカード会社と契約をし直さなければならない等、手間のかかる事態も想定される。
【０００６】
さらに、世帯では、子供の進学等の家族のライフイベントに伴って世帯の支出が大きく変わり、それに伴ってクレジットカードの使用状態も変わる場合がある。世帯の支出はクレジットカードの使用により付与されるポイントに大きく関わるため、このような世帯の支出の変化に伴いクレジットカードの最適な使用方法も変わる可能性が高い。そのため、将来の予測を伴わない場合には、最適なクレジットカードの選択及び使用方法を提供することができない場合があった。
【０００７】
そこで、本発明では、将来の取得ポイントが考慮されたカードポイントシミュレーションシステムを提供することを目的とする。
【課題を解決するための手段】
【０００８】
第１観点のカードポイントシミュレーションシステムは、コンピュータを用いてカード使用時に付されるポイントを算出するカードポイントシミュレーションシステムである。カードポイントシミュレーションシステムは、世帯の家族構成を入力する家族情報入力部と、カードについて、ポイント有効期限及びポイントレートを入力するカード情報入力部と、世帯の収入を入力する収入入力部と、世帯の支出を所定の項目ごとに入力する支出入力部と、支出の項目に対してカード毎に使用の有無を選択し、カード毎に項目に対してカードの使用比率を入力してカードのポイントを算出するポイント算出部と、ポイント算出部の後に、算出されたポイントの量の時間推移をグラフ化するポイントグラフ化部と、を備える。また、ポイントの量の時間推移は、項目ごとの支出の時間推移に連動して変動する。
【０００９】
第２観点のカードポイントシミュレーションシステムは、第１観点において、カード情報入力部では、複数のカードのポイント有効期限及びポイントレートが入力され、ポイント算出部又はポイントグラフ化部において、複数のカードのポイントの量が比較される。
【００１０】
第３観点のカードポイントシミュレーションシステムは、第１観点及び第２観点において、カード情報入力部では、カードの種別が入力される。カードの種別は、交通系クレジットカード、航空系クレジットカード、銀行系クレジットカード、石油系クレジットカード、自動車メーカー系クレジットカード、流通系クレジットカード、信販系クレジットカード、消費者金融系クレジットカード、又は独立系クレジットカードを含む。
【００１１】
第４観点のカードポイントシミュレーションシステムは、第１観点から第３観点において、家族情報入力部では、家族の年齢が入力され、ポイントの量の時間推移が、家族構成入力部に基づいて算出されるライフイベント及び収入の時間推移に基づいて算出された支出の時間推移に基づいて算出される。
【００１２】
第５観点のカードポイントシミュレーションシステムは、第１観点から第４観点において、カード情報入力部が、複数の項目の中から趣味及び関心事項が選択され、複数のカードの情報から、選択された趣味及び関心事項に基づいて特定のカードが抽出され、抽出されたカードの中からさらに一部又は全部のカードが選択されることによりポイント有効期限及びポイントレートが入力される。
【００１３】
第６観点のカードポイントシミュレーションシステムは、第１観点から第５観点において、さらに、ポイント算出部より前にポイントの目標値を入力する目標値入力部を有し、ポイント算出部又はポイントグラフ化部では、ポイントの量が目標値に最短で達するカードの組み合わせを導く。
【発明の効果】
【００１４】
本発明のカードポイントシミュレーションシステムによれば、カードポイントの取得に関して将来の予測が考慮された最有利なカードの選択を提供する。
【図面の簡単な説明】
【００１５】
【図１】カードポイントシミュレーションシステム１００の概略構成図である。
【図２】カードポイントシミュレーションシステム１００の動作過程が示されたフローチャートである。
【図３】（ａ）は、表示部１１３に表示された家族情報入力画面１６１である。  （ｂ）は、表示部１１３に表示されたカード情報入力画面１６２である。
【図４】表示部１１３に表示された収入入力画面１６３である。
【図５】表示部１１３に表示された支出入力画面１６４である。
【図６】ポイント量の時間推移が示されたグラフである。
【図７】表示部９９に表示された図５に示された支出を円グラフである。
【図８】表示部１１３に表示されたカード情報入力画面２６２である。
【図９】表示部１１３に表示された支出入力画面２６４である。
【図１０】カード１とカード２とのポイント量の時間推移が示されたグラフである。
【図１１】（ａ）は、表示部１１３に表示されたカード情報入力画面３６２である。  （ｂ）は、表示部１１３に表示された収入の変動条件の入力画面３６３である。
【図１２】表示部１１３に表示された支出の変動条件の入力画面３６４ａである。
【図１３】表示部１１３に表示された支出入力画面３６４ｂである。
【図１４】カード１及びカード２を組合せて用いた場合のポイント合計の時間推移が示されたグラフである。
【図１５】表示部１１３に表示された趣味等入力画面４６２ａである。
【図１６】表示部１１３に表示されたカード情報入力画面４６２ｂである。
【図１７】表示部１１３に表示された支出入力画面４６４である。
【図１８】ポイント量の合計が最も多くなるようなカードの使用方法が示されている。
【発明を実施するための形態】
【００１６】
以下、本発明の実施の形態を図面に基づいて詳細に説明する。なお、本発明の範囲は以下の説明において特に本発明を限定する旨の記載がない限り、これらの形態に限られるものではない。
【００１７】
（第１実施形態）
＜カードポイントシミュレーションシステム１００＞
図１は、カードポイントシミュレーションシステム１００の概略構成図である。カードポイントシミュレーションシステム１００は、利用者の支出を考慮してクレジットカードの付与ポイントを計算し、利用者にとって最もポイントが貯まるクレジットカード及びその使用方法を提案するシステムである。また、カードポイントシミュレーションシステム１００は、クレジットカードの利用者のみならず、クレジットカードの選択及び使用方法を助言する助言者に使用されても良い。以下の説明では、利用者及び助言者を含み、カードポイントシミュレーションシステム１００を使用する者を使用者として説明する。カードポイントシミュレーションシステム１００は、表示端末９０、入力端末１１０及びサーバ１３０を含んでおり、入力端末１１０とサーバ１５０とがインターネット１８０等の通信ネットワークを介して接続される。
【００１８】
表示端末９０は、クレジットカードを利用する利用者が所有する例えば、スマートフォン等の携帯端末、タブレット端末等である。表示端末９０は、ＧＰＳ（全地球測位システム）９７及び表示部９９を有している。ＧＰＳ９７は表示端末９０の現在位置を測り、表示部９９は受信した内容を表示したりする。図示しないがインターネット１８０との通信機能を有している。なお、表示端末９０にアプリをダウンロードすることで、以下に説明する入力端末１１０と同様な機能を有するようにしてもよい。
【００１９】
入力端末１１０は、例えば、パソコン、スマートフォン等の携帯端末、タブレット端末等である。図示しないがインターネット１８０との通信機能を有しており、また、入力端末１１０のセキュリティを高めるために、セキュリティを向上させる管理ソフトウェアを有するＵＳＢメモリ又は指紋認証などを備えることが好ましい。
【００２０】
入力端末１１０は、入力部１１１、記憶部１１２、表示部１１３、ポイント算出部１１６、ポイントグラフ化部１１７及び催促通知部１１８を有している。入力部１１１は例えばパソコンのキーボード又はタブレット端末のタッチパネル等であり、使用者は入力部１１１から情報の入力をすることができる。表示部１１３に表示されるいろいろな画面を使って入力部１１１から各種データを入力又は選択できる。画面と入力部１１１とで、家族情報入力部、カード情報入力部、収入入力部、支出入力部、目標値入力部、及び趣味等入力部を構成する。また、携帯端末又はタブレット端末に付属するカメラ、又は独立したカメラも入力部として利用できる。例えば、カメラでクレジットカードを撮影することでカード情報入力部となる。またカメラで、給与明細書、飲食等の領収書もしくはカード支払い明細書を撮影することで収入入力部もしくは支出入力部となる。
【００２１】
記憶部１１２は、例えばメモリ又はハードディスク等であり、クレジットカードの情報であるカード情報１２１及び利用者情報１２２等を記憶することができる。記憶部１１２は、カード情報１２１として、市場に出回っているクレジットカードの表画像、クレジットカード毎のカード種別、そのポイント有効期限、及びポイントレートを記憶する。また記憶部１１２は、カード情報１２１の他の情報として、そのクレジットカードに特徴的な情報（例えば、６０歳以上はポイント２倍等）も記憶する。このカード情報１２１は、サーバ１３０で記憶されているカード情報１４１に基づいて適宜更新される。利用者情報１２２は、利用者の生年月日、家族構成、メールアドレス、電話番号等の個人情報である。さらに、利用者情報１２２は、後述する収入入力画面から入力された収入情報、及び支出入力画面から入力された支出情報を含んでいる。
【００２２】
ポイント算出部１１６、ポイントグラフ化部１１７及び催促通知部１１８は、例えばＣＰＵ及びソフトウエアプログラム等からなる。ポイント算出部１１６は入力された情報を基に付与されるポイント量等を計算する。ポイントグラフ化部１１７は、計算されたグラフを表示部１１３に表示させる。催促通知部１１８は、利用者が有する表示端末９０に、クレジットカードの利用の催促を通知する。また、表示端末９０のＧＰＳ９７から送られてくる現在位置情報に基づいて、催促通知部１１８は、利用者が有しているクレジットカードの使用できる店舗を表示端末９０に表示させたり、ポイントレートの高い店舗を表示させたり、利用者に勧めたい店舗を表示させたりする。表示部１１３は、例えば計算結果を表示するディスプレイであり、入力端末１１０がタブレット端末又は携帯端末である場合には入力部１１１と同一の部分となる。
【００２３】
サーバ１３０は、記憶部１３１及び計算部１３２を有している。記憶部１３１は、クレジットカードの情報であるカード情報１４１及び利用者情報１４２等を記憶することができる。サーバ１３０の記憶部１３１のカード情報１４１は、入力端末１１２で記憶されているカード情報１２１と実質同じである。利用者情報１４２も入力端末１１２で記憶されている利用者情報１２２と実質同じである。また、計算部１３２は、入力端末１１０のポイント算出部１１６、ポイントグラフ化部１１７及び催促通知部１１８と同様に、入力された情報を基に付与されるポイント量等を計算したり、ポイントをグラフ化したり、クレジットカードの利用の催促を通知したりする。本実施形態では、主に入力端末１１０のポイント算出部１１６、ポイントグラフ化部１１７及び催促通知部１１８の動作で説明するが、入力端末１１０にそれらがない場合（ソフトウエアプログラムをインストールしていない場合）には、サーバ１３０が入力情報に基づいて計算部１３２で動作する。
【００２４】
カードポイントシミュレーションシステム１００では、使用者が入力端末１１０から入力した利用者情報を、インターネット１８０を経由してサーバ１３０に送る。入力された利用者情報は入力端末１１０の記憶部１１２又はサーバ１３０の記憶部１３１に記憶されることができる。また、利用者は、入力端末１１０の記憶部１１２又はサーバ１３０の記憶部１３１に保存されたクレジットカードの情報であるカード情報１２１又はカード情報１４１を参照して、使用中又は将来使用したいクレジットカードを選択することができる。ポイント量等の計算は、入力端末１１０のポイント算出部１１６でされても良いし、サーバ１３０の計算部１３２でされても良い。
【００２５】
図２は、カードポイントシミュレーションシステム１００の動作過程が示されたフローチャートである。以下に、図２を参照しながらカードポイントシミュレーションシステム１００の動作について説明する。
【００２６】
ステップＳ１０１では、クレジットカードの利用者及び利用者家族情報が入力される。使用者は、クレジットカードの利用者の家族情報等の世帯情報を、入力端末１１０の入力部１１１を介して入力する。特に利用者に関しては、氏名だけではなく、住所、メールアドレス、電話番号等の個人情報が入力される。催促通知部１１８からメール等で利用者にクレジットカードの利用を促進させるためである。
【００２７】
図３（ａ）は、入力端末１１０の表示部１１３に表示された家族情報入力画面（入力部）１６１である。図３（ａ）の家族情報入力画面１６１には、家族構成の入力欄１６１ａ及び各家族の年齢の入力欄１６１ｂを有する表が示されている。また、表にはスクロールバー１６１ｃがあり、多人数の入力を行うことができるようになっている。
【００２８】
各欄の入力は使用者により自由に記載されても良く、選択肢が示されてその中から選択するような入力方法でも良い。年齢の入力欄１６１ｂは、代わりに生年月日の入力欄が設けられていても良い。誕生月のクレジットカードの使用でポイントレートが変わるクレジットカードもあり、生年月日を入力する場合には月毎のクレジットカードの使用状態を考慮して最適なクレジットカードの使用方法を導くことも可能である。また、各家族の性別、職業等、他の情報の入力欄が設けられていても良い。
【００２９】
図２に戻り、ステップＳ１０２では、使用者が、カード情報入力画面を介して利用者のクレジットカードの情報を入力端末１１０の入力部１１１から入力する。
【００３０】
図３（ｂ）は、表示部１１３に表示されたカード情報入力画面（入力部）１６２である。図３（ｂ）では、現在使用しているクレジットカードの情報及び将来使用を考えているクレジットカードの情報等を入力する。図３（ｂ）のカード情報入力画面１６２では、例えば、クレジットカードのカード種別、ポイント有効期限、ポイントレート、及び備考を入力する。
【００３１】
カード入力欄１６２ａには、使用者がクレジットのカード名を入力する。そのカード名それ自体を入力するのではなく、ドロップダウンメニューで、ドロップダウンメニューで階層的（運営会社、ゴールドプラチナ等の等級など）に、現在使用しているクレジットカードの情報及び将来使用を考えているクレジットカードの情報等を選択できるようにしてもよい。また将来使用を考えているクレジットカードの情報を入力又は選択する際には、“未定”を入力又は選択できるようにしてもよい。また、入力端末１１０のカメラ（不図示）も入力部１１１として使用することができる。カメラで、クレジットカードの表側を撮影する。その画像を画像データとして又は文字・番号認識して、カード情報１２２又はカード情報１４１に記憶されているクレジットカードと照合する。照合されたクレジットカードのカード種別、ポイント有効期限、ポイントレート等がそれぞれの入力欄に自動的に入力される。
【００３２】
入力欄１６２ａで、例えば“○○銀行☆☆ゴールドカード”が入力されたりドロップダウンメニューで選択された場合には、後述する、カード種別の入力欄１６２ｂ、ポイント有効期限の入力欄１６２ｃ、及びポイントレートの入力欄１６２ｄが自動的に入力される。つまり、入力欄１６２ａで入力された特定カードが、入力端末１１０に保存されるカード情報１２１又はサーバ１３０内のカード情報１４１で照合される。そして入力されたクレジットカードで登録されているカード種別、ポイント有効期限、及びポイントレートがそれぞれの入力欄に入力される。また、そのクレジットカードに特徴的なメリット・デメリットがあれば、備考欄１６２ｅにその旨が記載される。
【００３３】
入力欄１６２ａで、例えば“未定”が入力されたりドロップダウンメニューで選択された場合には、使用者は、希望するカード種別の入力欄１６２ｂ、ポイント有効期限の入力欄１６２ｃ及びポイントレートの入力欄１６２ｄに、それぞれカード種別、有効期限及びポイントレートを入力又はドロップダウンメニューで選択する。
【００３４】
カード種別の入力欄１６２ｂには、例えば以下のようなカード種別が入力又は選択される。交通機関の使用でポイントが貯まり易い交通系クレジットカード、航空機のマイレージを貯めるのに適している航空系クレジットカード、銀行のサービスを受けるのに適している銀行系クレジットカード、ガソリンの給油で割引等がある石油系クレジットカード、自動車の購入及びローンの支払いに適した自動車メーカー系クレジットカード、クレジットカード発行会社の系列店で割引などを受けることができる流通系クレジットカード、信販会社が発行する信販系クレジットカード、消費者金融会社が発行する消費者金融系クレジットカード、又は電話会社、ホテル等、クレジットカードの発行元の特徴あるサービスが受けられる独立系クレジットカードのカード種別である。使用者がこれらの特徴を入力又は選択することでクレジットカードの特徴を掴み易くすることができる。
【００３５】
ポイント有効期限の入力欄１６２ｃには、ポイントの有効期限が入力される。図３（ｂ）では、ポイントの有効期限として３年が入力されており、ポイントを取得してから３年でポイントが消滅することが示されている。なお、使用者がポイント有効期限を知らない場合にも対応できるように、カード種別の入力欄１６２ｂに入力されたカード種別が、入力端末１１０のカード情報１２１又はサーバ１３０内のカード情報１４１で照合され、そのカード種別内で存在する複数の有効期限（例えば、６カ月、１年、２年、３年、５年又は無期限など）をドロップダウンメニューで表示させる。
【００３６】
ポイントレートの入力欄１６２ｄには、クレジットカードの使用額に対して付与されるポイントを表している。図３（ｂ）では、クレジットカードの１００円の使用に対して０．５ｐｔ（ｐｔ：ポイントの単位とする）が付与される旨が示されている。備考の欄１６２ｅには、クレジットカードに関する参考となる情報等が入力される。図３（ｂ）では、カード１の利点としてＡＴＭ手数料が無料になる旨が示されている。
【００３７】
１ｐｔの価値は、クレジットカードの発行会社により異なる。例えば、１ｐｔが１円の価値を有する場合もあれば０．５円の価値となる場合もある。また、ポイントはマイレージと交換できる場合もあるが、交換比率もクレジットカードの発行会社により異なる。この場合、ポイントの価値を正確に判断することが困難となることも考えられるため、ポイントレートの入力欄１６２ｃでは、１ｐｔが１円の価値となるように調整された値が入力されても良い。また、ポイントの価値は、後述される支出入力画面（入力部）１６４（図５参照）において１ｐｔを１円として補正するための欄を設けて計算しても良い。以下では、１ｐｔが１円の価値を有するとして説明する。
【００３８】
図３（ｂ）では、１種類のクレジットカードの情報のみが示されているが、カード情報入力画面１６２では複数のクレジットカードの情報が入力されてもよい。この場合、予め複数のクレジットカードの情報を入力して入力端末１１０の記憶部１１２又はサーバ１３０の記憶部１３１に記録しておく。そして、各クレジットカードの横に配置されるチェックボックス１６２ｆにチェックを入れることにより目的のクレジットカードを選択することができる。
【００３９】
図２に戻って、ステップＳ１０３では、使用者が収入入力画面を介して利用者の世帯の収入を入力端末１１０の入力部１１１から入力する。また詳述しないが、給与明細書とか源泉徴収票等を入力端末１１０のカメラで撮影することで、
【００４０】
図４は、表示部１１３に表示された収入入力画面（入力部）１６３である。家族情報入力画面１６１で入力された家族構成により、収入入力画面１６３のページ数を変える。例えば１８歳以上ならば、収入があるかもしれないとして１８歳以上の人数分の収入入力画面１６３を作成する。第１の収入入力画面１６３では、世帯の一人目（例えば夫）の世帯の収入が入力される。図４に示される収入入力画面１６３では、月間の「振込給与」入力枠１６３ａ、月間の「手取り給与」入力枠１６３ｂ、「手取りボーナス（夏）」入力枠１６３ｃ、及び「手取りボーナス（冬）」入力枠１６３ｄに金額を入力する。これらの金額が入力されることにより、合計金額等の他の枠の金額が自動的に計算される。また、世帯の収入の合計金額は、例えば来年の収入を今年の収入の１０２％とする等、定年近くまでは年ごとに所定の割合で増加していくことが考慮される。また、定年近く、例えば５８歳以降は年ごとに所定の割合で減少していくことが考慮される。収入の増加・減少の割合は、予め所定の割合が設定されていても良いし、使用者により設定されても良い。世帯の二人目（例えば妻）の世帯の収入がなければ、第１の収入入力画面１６３では、すべて“０”又は“−”を入力する。
【００４１】
ステップＳ１０４では、使用者が支出入力画面を介して、利用者の世帯の支出を所定の項目ごとに入力端末１１０の入力部１１１から入力する。
【００４２】
図５は、表示部１１３に表示された支出入力画面（入力部）１６４である。支出入力画面１６４では、「支出変動」の欄１６４ａ、「項目」の欄１６４ｂ、「支出（月間）」の欄１６４ｃ、「支出（年間）」の欄１６４ｄ、「ボーナス」の欄１６４ｅ、「合計」の欄１６４ｆ、カード使用の「チェック」の欄１６４ｇ、カード使用の「比率」の欄１６４ｈ、及び「ポイント」の欄１６４ｉが設けられている。
【００４３】
「項目」の欄１６４ｂには、支出に関する複数の項目が記載されている。項目の記載は、予め記載されている項目を用いることができ、又は使用者により項目の追加、削除が行われても良い。「支出変動」の欄１６４ａには、各項目の費用が固定費であるか変動費であるかが入力される。固定費である場合には「固定」が入力され、変動費である場合には「変動」と入力される。変動費とされた項目では、例えば今年の支出の１０１％又は９９％を来年の支出とする等の計算が行われ、年毎に支出費が増大・減少することも考慮される。変動の割合は、予め設定された規定値が用いられても良いし変動なしでもよく、又は使用者が設定しても良い。
【００４４】
「支出（月間）」の欄１６４ｃでは、各項目に対して月間の支出が記入される。「支出（月間）」の欄１６４ｃの記載では、「支出（月間）」の欄１６４ｃの合計１６４ｊが図４の月間の「手取り給与」１６３ｂの金額に一致するように記載される。「支出（年間）」の欄１６４ｄでは、「支出（月間）」の欄１６４ｃの値を元に自動的に計算され、「支出（年間）」の欄１６４ｄの合計１６４ｋは図４の年間の「手取り給与」の金額に一致する。また、「ボーナス」の欄１６４ｅでは、その合計１６４ｍが図４のボーナスの「手取り合計」に一致するように、各項目に対してボーナスの支出が記入される。「合計」の欄１６４ｆでは、各項目について「支出（年間）」の欄１６４ｄ及び「ボーナス」の欄１６４ｅの合計金額が計算される。「合計」の欄１６４ｆの合計１６４ｎは、図４の「手取り合計」の合計金額と一致している。
【００４５】
図２に戻って、ステップＳ１０５では、カードが使用される項目が選択され、項目ごとにカードの使用比率が入力されることで、ポイント算出部１１６が獲得ポイントを算出する。
【００４６】
図５のカード使用の「チェック」の欄１６４ｇでは、各項目に対してクレジットカードを使用する項目にチェックが入れられ、「比率」の欄１６４ｈでは各項目も合計金額に対するクレジットカードの使用比率が記入される。「チェック」の欄１６４ｇにチェックが入れられていない項目は「比率」が０％になる。「ポイント」の欄１６４ｉでは、各項目について「合計」の欄１６４ｆの金額、「比率」の欄１６４ｈ、及び図３（ｂ）のカード情報入力画面１６２のポイントレート１６２ｃの値を基に、年間で取得できるポイントが計算される。また、「ポイント」の欄１６４ｉの合計１６４ｐには、年間で獲得できるポイントが示される。
【００４７】
ステップＳ１０６では、ポイントグラフ化部１１７がポイント量の時間推移をグラフ化する。ステップＳ１０６では、各年に獲得できるポイントの量及び各年に取得するポイントの量の合計等の時間経過に伴う変化が明確になるように、グラフにポイント量の時間推移が表される。
【００４８】
図６は、ポイント量の時間推移が示されたグラフである。図６の横軸は経過年数が示されており、最も左側の「１年目」が現在の状態を示している。「２年目」が来年、「３年目」が再来年の状態を示している。図６の縦軸は、ポイント量が示されている。図３（ｂ）の有効期限１６２ｃで示されたように、有効期限を３年とし、図４で示された変動の支出は増加する例を示している。
【００４９】
図６の「１年目」では、図５の合計１６４ｐに示されているように、クレジットカードの利用者はポイント量として５，９４０ｐｔを獲得し、ポイント量の合計であるポイント合計が５，９４０ｐｔとなる。「２年目」では、ポイント量として６，１０５ｐｔを獲得し、ポイント合計が１２，０４５ｐｔとなる。「３年目」では、ポイント量として６，２７８ｐｔを獲得し、ポイント合計が１８，３２３ｐｔとなる。１年目から３年目までは、各年に獲得するポイント量も増えていき、ポイント合計も各年に獲得するポイント量が加算されるため増加量が大きい。
【００５０】
「４年目」では、「１年目」に取得した獲得ポイントである５，９４０ｐｔがポイント有効期限を過ぎて消滅する。そのため、ポイント合計は「３年目」より増加するものの、その増加量は「１年目」から「３年目」の間に比べて大きく落ちることとなる。
【００５１】
図６に示されるように、各年に獲得できるポイント量、消滅するポイント量、及びポイント合計の時間変化が示されることにより、将来のポイント合計を知ることが容易になり、取得したポイントの使用方法について考えるための資料とすることができる。また、助言者はクレジットカードの利用者にクレジットカードの使用方法を助言することが容易になる。
【００５２】
例えば、助言者は、クレジットカードの利用者が旅行を趣味とする場合には、３年ごとに旅行に行くなどして３年間で貯まる約２０，０００ｐｔを消費することを提案することができる。これにより、消滅するポイントを有効に活用することができる。また、クレジットカードの利用者が食事に対して興味を示している場合には、毎年発生する約６，０００ｐｔを使用して外食をする等の提案をすることができる。
【００５３】
図２に戻り、ステップＳ１０７では、催促通知部１１８が、上記提案後に、その一週間もしくは一カ月後、さらに定期的に、個人の表示端末（携帯電話等）にカードの使用を進めるメール等を送る。図５を参照すると、例えば固定費である住居費がクレジットカードで支払われていない（０％）。これに対して催促通知部１１８が、例えば「住居費をクレジットカードで支払ってみませんか。」とか、変動費の交際費に関して、「交際費をクレジットカードで支払ってみませんか。」とかの連絡をする。
【００５４】
また催促通知部１１８は、図５で示された支出入力画面で入力された結果を、円グラフにして、利用者の表示端末９０に送る。図７は、表示部９９に表示された図５に示された支出を円グラフである。円グラフは、使用金額の割合とその項目が示されるとともに、その項目中でクレジットカードを利用した支払いの割合（％）が表示される。また固定費と変動費との表示を替えている。利用者は自分自身が、変動費であるか否かも含めどのような項目にクレジットカードを使って支払っているかを認識することができる。
【００５５】
また、ステップＳ１０７では、催促通知部１１８は、表示端末９０のＧＰＳ９７から送られてくる現在位置情報に基づいて、現在位置に近くて且つ利用者が有しているクレジットカードの使用できる店舗を表示端末９０の表示部９９に表示させるてもよい。さらに、催促通知部１１８は、現在位置に近くて且つポイントレートの高い店舗を表示端末９０の表示部９９に表示させたりしてもよい。さらには、催促通知部１１８は、収入が同じような利用者がこんな店舗で買い物をしていますと、利用者に勧めたい店舗を表示させたりしてもよい。
【００５６】
（第２実施形態）
カードポイントシミュレーションシステム１００では、複数のクレジットカードを比較検討しても良い。この場合も、基本的には図２のフローチャートに沿ってカードポイントシミュレーションシステム１００の動作が行われる。以下に、第１実施形態と特に異なるステップについて示しつつ２つのクレジットカードを比較する場合について説明する。
【００５７】
図８は、表示部１１３に表示されたカード情報入力画面２６２である。図８には、図２のステップＳ１０２のカード情報入力において入力されるカード情報の入力画面が示されている。図８では、カード１とカード２との２つのクレジットカードの情報が入力され、チェックボックス１６２ｆにチェックが入れられて選択された状態が示されている。カード１は、銀行系カードであり、ポイント有効期限が３年、ポイントレートが１００円あたり０．５ｐｔである旨が入力されている。また、ポイントのキャッシュバック無しの旨が備考に示されている。カード２は、銀行系カードであり、ポイント有効期限が無く、ポイントレートが１００円あたり０．３ｐｔである旨が入力されている。また、ポイントのキャッシュバック有の旨が備考に入力されている。
【００５８】
図９は、表示部１１３に表示された支出入力画面（入力部）２６４である。図９には、図２のステップＳ１０４の支出入力において入力される世帯の支出の入力画面が示されている。図９の「支出変動」の欄１６４ａ、「項目」の欄１６４ｂ、「支出（月間）」の欄１６４ｃ、「支出（年間）」の欄１６４ｄ、「ボーナス」の欄１６４ｅ、「合計」の欄１６４ｆ、カード使用の「チェック」の欄１６４ｇ、カード使用の「比率」の欄１６４ｈは、図５と同様である。また、「ポイント」の欄１６４ｉの「カード１」に関しては、図５と同様である。図９は、「ポイント」の欄１６４ｉの「カード２」が表示されている点が図５とは異なっている。
【００５９】
カード１は、図８のポイントレートに示されている１００円当たり０．５ｐｔで計算され、カード２では１００円当たり０．３ｐｔで計算されている。カード１のポイントの合計は５，９４０ｐｔであり、カード２のポイントの合計は３，５６４ｐｔである。これらのポイントの合計は、現時点での結果である。
【００６０】
図１０は、カード１とカード２とのポイント量の時間推移が示されたグラフである。横軸は経過年数を表し、縦軸にはポイント量が表されている。各年に獲得するポイントは、「１年目」から「７年目」までの全期間においてカード１の方がカード２よりも高い。また、カード１では、図６と同様に「１年目」から「３年目」までのポイント合計が大きく増えるが、「４年目」以降はポイント合計の増加が緩やかになる。これに対して、カード２は、「１年目」から「７年目」まで、略一定の割合で増加している。また、「１年目」から「５年目」まではカード１の方がカード２よりもポイント合計が大きいが、「６年目」以降はカード２の方がカード１よりもポイント合計が大きくなる。
【００６１】
カード１及びカード２の選択を考える場合、「１年目」では、図９に示されるように、カード１を使用した場合には５，９４０ポイントを取得でき、カード２を使用した場合には３，５６４ポイントを取得できる。そのため、「１年目」だけを考慮した場合にはカード１の方が好ましいという結果になる。しかし、ポイント量の時間推移、カード１とカード２との条件を比較した場合には、異なる結果となる場合がある。
【００６２】
例えば、ポイントを貯めて高級な商品と交換したい場合には、ポイントの有効期限がないカード２の方がカード１よりも長期的にはポイントが貯まるため、カード２を選択することも考えられる。また、カード１はキャッシュバックができないためポイントの使用用途が限られること及びカード１とカード２との長期的なポイント合計の差を考慮し、カード２の方が、ポイント合計が低いが使用用途が広くポイント合計の差が大きくはないと判断した場合には、カード２を選択することも考えられる。
【００６３】
上記のように時間推移を考慮してカード比較を行う場合には、カードの特徴がより強く表れる場合があり、長期的な視野でクレジットカードの選択を行うことができるため好ましい。
【００６４】
（第３実施形態）
カードポイントシミュレーションシステム１００では、クレジットカードの様々な特徴と共に世帯のライフイベントに伴う収入・支出の変動等を考慮してクレジットカードの比較及び使用方法の検討が行われても良い。この場合も、基本的には図２のフローチャートに沿ってカードポイントシミュレーションシステム１００の動作が行われる。以下に、第１実施形態及び第２実施形態と特に異なるステップについて示しつつ２つのクレジットカードの比較する場合について説明する。
【００６５】
図１１（ａ）は、表示部１１３に表示されたカード情報入力画面３６２である。図１１（ａ）には、図２のステップＳ１０２のカード情報入力に用いられるカード情報の入力画面が示されている。図１１（ａ）では、カード１とカード２との２つのクレジットカードの情報が入力され、チェックボックス１６２ｆにチェックが入れられて選択された状態が示されている。カード１は、銀行系のカードであり、ポイント有効期限がなく、ポイントレートは１００円当たり０．５ｐｔである。また、ＡＴＭ手数料が無料という特徴がある。カード２は流通系のカードであり、ポイント有効期限がなく、ポイントレートが１００円当たり０．２５ｐｔである。また、カード２は、食品、被服、日用品を扱っている系列店でカード２を使用した場合に４倍のポイントが加算されるという特徴がある。
【００６６】
図１１（ｂ）は、表示部１１３に表示された収入の変動条件の入力画面３６３である。ステップＳ１０３では、図４に示されるような世帯の収入が入力されるが、さらに経過年数における収入の変動をカードポイントシミュレーションシステム１００の使用者が決めても良い。図１１（ｂ）には、この収入の変動を決めるための入力画面である。図１１（ｂ）では、前年の手取り合計の１０５％を、計算する年の手取り合計として示す旨が示されている。例えば、「２年目」の収入の手取り合計は「１年目」の１０５％であり、「３年目」の収入の手取り合計は「２年目」の１０５％として計算される。
【００６７】
図１２は、表示部１１３に表示された支出の変動条件の入力画面３６４ａである。図１２には、図２のステップＳ１０４の支出入力に用いられる支出の変動条件の入力画面が示されている。図１２では、変動条件１、変動条件２、及び変動条件３の３つの変動条件が設定されている。変動条件１では、子供が１０歳になったら収入の５％を教育費の支出として計算する旨を示している。変動条件２では、前年支出の１０５％を支出として計算する旨を示している。変動条件３では、給与から他の支出を引いた余りを支出として計算する旨を示している。
【００６８】
図１３は、表示部１１３に表示された支出入力画面３６４ｂである。「支出変動」の欄１６４ａには、「固定」、「変動１」、「変動２」、及び「変動３」の３つが設定されている。「固定」は項目の時間変動がなく、「変動１」は項目に図１２の変動条件１が適用され、「変動２」は項目に図１２の変動条件２が適用され、「変動３」は項目に図１２の変動条件３が適用される。「変動１」は教育費に適用されており、「変動２」は、食費、交通費、日用品、小遣い、趣味等、被服、交際費、その他の項目に適用されている。「変動３」は、旅行貯蓄に適用されている。「旅行貯蓄」は図５に対して新たに加えられた項目であり、「貯蓄」とは異なる旅行のための貯蓄である。旅行貯蓄には変動３が適用されているため、旅行貯蓄は給与から他の支出を差し引いた余りとして計上されている。
【００６９】
図１３では、カード１及びカード２について、各項目を選択するためのチェックボックス及び比率の入力欄が設定されている。カード１は光熱費、通信費、保険、教育費、交通費、趣味等、交際費の項目でチェックされ、カード２は食費、日用品、被服の項目でチェックされている。このような選択は、図１１（ａ）に示されるように基本的なポイントレートはカード１の方が高いため基本的なカードの使用はカード１を用い、ポイントが４倍になるカード２の系列店ではカード２を使用することとしたものである。
【００７０】
「ポイント」の欄１６４ｉでは、カード１のポイント、カード２のポイント、及びその合計のポイントが示されている。カード１では３，８４０ポイントを得ることができ、カード２では４，２００ポイントを得ることができ、合計としては８，０４０ポイントを得ることができることが示されている。
【００７１】
図１４（ａ）は、入力端末１１０の表示部１１３に表示された、カード１及びカード２を組合せて用いた場合のポイント合計の時間推移が示されたグラフである。図１４（ａ）では、横軸に経過年数が示されており、左側の縦軸にポイント量（ｐｔ）又は金額（十円）が示されており、右側の縦軸に金額（千円）が示されている。図１４（ａ）の棒グラフは右側の縦軸が参照され、金額（千円）を表している。棒グラフでは、各年の変動条件１が適用された教育費、固定費、変動条件２の合計金額、変動条件３で示される旅行貯蓄が示されている。折れ線グラフで示されたポイント合計は左側の縦軸のポイント量（ｐｔ）で表され、旅行貯蓄合計は左側の縦軸の金額（十円）で表されている。
【００７２】
教育費は「１年目」及び「２年目」は考慮されていないが、「３年目」では教育費が発生している。これは、子供１（図３（ａ）参照）が１０歳になり、変動条件１が適用されたためである。また、「５年目」からは、子供２（図３（ａ）参照）も１０歳になるため、２二人分の教育費が発生している。このような教育費の発生により、「５年目」では旅行貯蓄がマイナスになり、旅行貯蓄合計も下がっている。しかし、「６年目」では旅行貯蓄のマイナスの量が少なくなり、「７年目」ではプラスに転じている。
【００７３】
第３実施形態では、例えば、旅行貯蓄合計及びポイント合計の合計が４０万円を超えた場合に旅行に行くと決めた場合、「４年目」で４０万円を超えるため、「４年目」に旅行に行くことを計画することができる。また、「５年目」に４０万円を下回るため、再び旅行貯蓄合計及びポイント合計の合計が４０万円を超える「６年目」に旅行すると決めることもできる。さらに、「７年目」以降であれば旅行貯蓄もプラスに転じるため、余裕のある「７年目」以降に旅行すると決めることもできる。
【００７４】
このように、世帯のライフイベント等の収入の変動を考慮することにより、クレジットカードの使い方及び使用時期をより具体的に計画することができるため好ましい。図１４（ａ）では教育費が考慮されたが、さらに、車の購入しローンを組む場合など、様々な将来の変化について考慮されても良い。
【００７５】
また、カードポイントシミュレーションシステム１００では、ポイント算出部（図２のＳ１０５）より前に、獲得するポイント量の合計の目標値を入力する目標値入力画面（目標値入力部１１１）を有していても良い。例えば、ポイント量の合計を５万ポイント貯めたい場合にはこれを入力することで、そのポイント量を獲得するまでに何年かかるかを算出する。図１４に示されるように、５万ポイントを獲得するのは「６年目」である。そのため、６年目に目標とするポイント量を得られることが分かる。
【００７６】
図１４（ａ）に示されたグラフのポイント合計の黒丸を指でクリックすると、どれぐらいの航空券がグラフのポイントで旅行できるかがポップアップ表示される。例えば図１４（ａ）の矢印３６５で示された３年目の黒丸をクリックすると、図１４（ｂ）のポップアップ画面３６５がグラフに重ねて表示される。ここでは、「このポイントで、国内旅行の航空券１人分の旅行が可能です。」と表示される。また、例えば図１４（ａ）の矢印３６６で示された６年目の黒丸をクリックすると、図１４（ｃ）のポップアップ画面３６６がグラフに重ねて表示される。
【００７７】
（第４実施形態）
世の中には様々なクレジットカードがあり、使用者が知らないクレジットカードも多くあると考えられる。そのため、カードポイントシミュレーションシステム１００が複数のクレジットカードを提案し、その中から使用者が選択するようにしてもよい。以下に、カードポイントシミュレーションシステム１００がクレジットカードを提案する実施例を示す。
【００７８】
図１５は、表示部１１３に表示された趣味等入力画面（入力部）４６２ａである。図１５は、図２のステップＳ１０２のカード情報入力部に用いられる画面として示されている。図１５では、趣味及び関心事項等に該当しうる複数の項目が示されており、これらの項目の中でクレジットカードの利用者が興味のある項目にチェックを入れ、又は、興味のあるキーワードをその他の項目に記入する。図１５では、「海外旅行」及び「ショッピング」の項目にチェックが入れられている状態が示されている。
【００７９】
図１６は、表示部１１３に表示されたカード情報入力画面４６２ｂである。カードポイントシミュレーションシステム１００では、図１５のチェック項目の結果に関連があると考えられるクレジットカードがカード情報１２１又はカード情報１４１から抽出されてカード情報入力画面４６２ｂに示され、使用者は抽出された複数のカードの中から一部又は全部の気になるカードにチェックを入れて選択する。図１６では、カードポイントシミュレーションシステム１００に提示されたカードから３つのカードのチェックボックスにチェックが入れられて選択された状態が示されている。
【００８０】
図１６では、カード１は、銀行系のカードであり、ポイント有効期限がなく、ポイントレートは１００円当たり０．３ｐｔである。また、海外での利用ではポイントが３倍になるという特徴があり、海外でのカードの使用に強いことから利用者の嗜好に合うと考えられる。カード２は流通系のカードであり、ポイント有効期限がなく、ポイントレートが１００円当たり０．５ｐｔである。また、カード２は、被服を扱っている系列店でカード２を使用した場合に２倍のポイントが加算されるという特徴があり、ショッピングが好きな利用者の嗜好に合うと考えられる。カード３は信販系のカードであり、ポイントの有効期限がなく、ポイントレートが１００円当たり０．３ｐｔである。また、カード３は、年間２００万円使用すると翌年はポイントが２倍になるという特徴があり、ショッピングが好きでカードの使用頻度が高いと考えられる利用者の嗜好に合う可能性がある。
【００８１】
図１７は、表示部１１３に表示された支出入力画面（入力部）４６４である。「支出変動」の欄１６４ａでは、「固定」、「変動２」、「変動３」が示されている。「変動２」及び「変動３」は、図１２の条件に従っており、「変動２」として「食費」、「交通費」、「日用品」、「小遣い」、「被服」、「交際費」が設定され、「変動３」として「貯蓄」が設定されている。他の項目は「固定」である。
【００８２】
図１７では、「カード利用額」の欄４６４ｉが設けられており、各項目についてのカードの利用額が示されている。カード３では２００万円を超えるとポイントレートが変わるため、カード利用額を表示することで各項目のカード利用状態を確認でき、カード利用比率が調整し易くなる。また、図１７では、「ポイントレート」の欄４６４ｊが設けられ、カード１、カード２、及びカード３のポイントレートが表示されている。カード１では、通常は０．３であるが、海外旅行の項目だけは３倍の０．９となっている。カード２では、通常は０．５であるが被服に関してはクレジットカード会社の系列店で購入するということで通常の２倍の１．０となっている。また、カード３では、通常は０．３であるがカード利用額が２００万円を超える場合には翌年から０．６になる。現時点では２００万円を超えていないため、０．３が適用される。
【００８３】
図１８は、ポイント合計の時間推移が示されたグラフである。横軸には経過年数が示され、左側縦軸にはポイント量（単位：ｐｔ）が示され、右側縦軸には金額（千円）が示されている。図１８の棒グラフはその年のカード利用額が示されており、右側縦軸にその金額が示されている。「１年目」は図１７に示された１９４万７千円がカード利用額であり、「２年目」は２００万７９５０円となって２００万円を超える。
【００８４】
カード１は白抜き菱形で表されており、カード２は白抜き四角形で表されており、カード３は白抜き三角形で表されている。「１年目」及び「２年目」はカード３が最もポイントレートが低いため獲得するポイント量が最も低く、最もポイントレートが高いカード２では最も獲得するポイント量が高くなる。「３年目」以降は、カード３が最も獲得するポイント量が多く、カード２が最も獲得するポイント量が少なくなっている。カード３に関しては、「２年目」にカード使用額が２００万円を超えているため、その翌年である「３年目」のポイントレートが２倍になっている。カード３のポイントレートが２倍に成った後は、カード３が最も獲得ポイントが多くなる。
【００８５】
カードポイントシミュレーションシステム１００では、選択されたカード１、カード２、カード３の最もポイントが溜まる使用法を提案することができる。図１８の黒塗り丸形の点線は、最もポイント量を得ることができるカードの最良使用形態のポイント量を示している。「１年目」では、図１７の「ポイントレート」の欄４６４ｊに示されるように海外旅行の項目以外はカード２が最もポイントレートが高い。そのため、ポイント量を最も多く得るためには、海外旅行にはカード１を使用し、それ以外の項目にはカード２を使用することが考えられる。「２年目」も同様である。
【００８６】
「３年目」は、ポイントレートが２倍になったカード３を使用する場合のポイント量が最も多くなる。海外旅行及び被服のポイントレートはカード３よりも高いが、海外旅行及び被服にカード１及びカード２を使用した場合には、カード３の使用金額が年間２００万円を割ってしまい翌年のポイントレートが下がるため、全ての項目についてカード３が使用されている。
【００８７】
「４年目」は、被服にのみカード２を使用してもカード３のカード使用額が２００万円を割らないため、被服にのみポイントレートの高いカード２を使用し、その他の項目にカード３を使用している。「５年目」は、被服よりも金額の大きい海外旅行にカード１を使用し、他の項目にカード３を使用している。「６年目」は、被服が海外旅行よりも使用金額が大きくなるため、被服にカード２を使用し他の項目にカード３を使用している。「７年目」では、海外旅行及び被服にそれぞれカード１及びカード２を使用してもカード３のカード使用金額が２００万円を割らない。そのため、海外旅行にカード１を使用し、被服にカード２を使用し、他の項目にカード３を使用している。
【００８８】
図１８では、ポイント量の合計が最も多くなるようなカードの使用方法が示されている。この方法を基に、図１４に示されるようにポイント合計を計算することで、何年目に何ポイント溜めることができるかを予想することができる。
【００８９】
また、カードポイントシミュレーションシステム１００では、図１８に示されるようなカードの最良使用形態と目標値入力画面（目標値入力部１１１）とを組み合わせて、所定のポイント量に最短で達するようなカードの組み合わせ及びその使用方法を提示するようにしても良い。
【００９０】
第１実施形態から第４実施形態に示されるように、クレジットカードの種類は多く、その選択の判断は困難である。カードポイントシミュレーションシステム１００では、世帯のライフイベント等を考慮し、具体的な使用状態を計算し、視覚的にポイント量の推移等を確認することで、どのようなクレジットカードの使用方法が考えられるか、及びどのようなクレジットカードを選べばよいかを分かり易く考えることができる。
【００９１】
以上、本発明の最適な実施形態について詳細に説明したが、当業者に明らかなように、本発明はその技術的範囲内において実施形態に様々な変更・変形を加えて実施することができる。また、各実施形態の特徴を様々に組み合わせて実施することができる。
【００９２】
例えば、上記実施形態では、１００円当たりのポイントレートが示されて１ポイントが１円の価値があるとされた。しかし、クレジットカード会社によって１ポイント当たりの価値が異なる場合もあるため、ポイント算出部及びポイントグラフ化部では１ポイントの価値を金額等に変換し、又はポイントの価値を比較できるように標準化して表しても良い。
【符号の説明】
【００９３】
１００  …  カードポイントシミュレーションシステム
１１０  …  入力端末、          １１１  …  入力部
１１２、１３１  …  記憶部          １１３  …  表示部
１１６  …  ポイント算出部、  １１７  …  ポイントグラフ化部
１２１  …  カード情報
１２２  …  利用者情報
１３０  …  サーバ
１６１  …  家族情報入力画面（入力部）、  １６１ａ  …  家族構成の入力欄
１６１ｂ  …  各家族の年齢の入力欄、  １６１ｃ  …  スクロールバー
１６２、２６２、３６２、４６２ｂ  …  カード情報入力画面（入力部）
１６２ａ  …  カード種別の入力欄
１６２ｂ  …  ポイント有効期限の入力欄
１６２ｃ  …  ポイントレートの入力欄
１６２ｄ  …  備考の欄、        １６２ｅ  …  チェックボックス
１６３  …  収入入力画面（入力部）
１６３ａ  …  月間の「振込給与」入力枠
１６３ｂ  …  月間の「手取り給与」入力枠
１６３ｃ  …  「手取りボーナス（夏）」入力枠
１６３ｄ  …  「手取りボーナス（冬）」入力枠
１６４、２６４、３６４ｂ、４６４  …  支出入力画面（入力部）
１６４ａ  …  「支出変動」の欄
１６４ｂ  …  「項目」の欄、  １６４ｃ  …  「支出（月間）」の欄
１６４ｄ  …  「支出（年間）」の欄、  １６４ｅ  …  「ボーナス」の欄
１６４ｆ  …  「合計」の欄、  １６４ｇ  …  カード使用の「チェック」の欄
１６４ｈ  …  カード使用の「比率」の欄、  １６４ｉ  …  「ポイント」の欄
１６４ｊ  …  「支出（月間）」の欄１６４ｃの合計
１６４ｋ  …  「支出（年間）」の欄１６４ｄの合計
１６４ｍ  …  「ボーナス」の欄１６４ｅの合計
１６４ｎ  …  「合計」の欄１６４ｆの合計
１６４ｐ  …  「ポイント」の欄１６４ｉの合計
１８０  …  インターネット
３６３  …  収入の変動条件の入力画面（入力部）
３６４ａ  …  支出の変動条件の入力画面（入力部）
４６２ａ  …  趣味等入力画面（入力部）
４６４ｉ  …  「カード利用額」の欄、  ４６４ｊ  …  「ポイントレート」の欄
【図１】
2018032280.tif 000003
【図２】
2018032280.tif 000004
【図３】
2018032280.tif 000005
【図４】
2018032280.tif 000006
【図５】
2018032280.tif 000007
【図６】
2018032280.tif 000008
【図７】
2018032280.tif 000009
【図８】
2018032280.tif 000010
【図９】
2018032280.tif 000011
【図１０】
2018032280.tif 000012
【図１１】
2018032280.tif 000013
【図１２】
2018032280.tif 000014
【図１３】
2018032280.tif 000015
【図１４】
2018032280.tif 000016
【図１５】
2018032280.tif 000017
【図１６】
2018032280.tif 000018
【図１７】
2018032280.tif 000019
【図１８】
2018032280.tif 000020